(57)【要約】      （修正有）【課題】シーリングライト取付構造を提供する。【解決手段】灯盤３０と、第１固定枠１０と、第２固定枠４０と、若干の位置制限片２０とを備え、第２固定枠は、底盤４２を有し、第１固定枠は、底板と、側板と、頂板とを有し、側板は底板と頂板とを連結し、頂板の中部に収容槽が設けられ、側板の上端が収容槽の槽壁上に連結され、側板の下端が底板に連結される。収容槽は、底板と側板との間を合わせて囲むように形成される。側板に水平面方向に沿って均等間隔で若干の機能孔が設けられ、位置制限片は、順次に連結される固定節と、第１位置制限節と、第２位置制限節と、位置止め節とを含み、底盤が第２位置制限節の下方に係止される。位置制限片を採用して第１固定枠に合わせて第２固定枠に対して位置制限を行うことにより、構造全体を簡素化することができ、迅速な取付けを可能にし、取外しを容易にして使用時の利便性を高める。【選択図】図１
0003223592.tif 000002
【実用新案登録請求の範囲】
【請求項１】
灯盤と、第１固定枠と、第２固定枠と、若干の位置制限片とを備えるシーリングライト取付構造であって、
前記第２固定枠は、底盤を有し、
前記第１固定枠は、底板と、側板と、頂板とを有し、前記側板は前記底板と前記頂板とを連結し、前記頂板の中部に収容槽が設けられ、前記側板の上端が前記収容槽の槽壁上に連結され、前記側板の下端が前記底板に連結され、前記収容槽は、前記底板と前記側板との間を合わせて囲むように形成され、前記側板上に水平面方向に沿って均等間隔で分布する若干の機能孔が設けられ、
前記位置制限片は、順次に連結される固定節と、第１位置制限節と、第２位置制限節と、位置止め節とを含み、前記第１位置制限節と前記第２位置制限節とは狭角を形成し、前記第１位置制限節と前記第２位置制限節との間に弾性部が形成され、前記位置制限片の弾性部が外側から前記機能孔を通り抜けて前記収容槽内に延在し、組付け時、前記第２固定枠の底盤で前記位置制限片の第１位置制限節を押し潰し、
かつ前記第２固定枠の底盤が前記第１位置制限節を滑り通過した後、前記位置制限片が位置戻され、前記底盤が前記第２位置制限節の下方に係止されることを特徴とするシーリングライト取付構造。
【請求項２】
前記固定節が前記第１位置制限節上の上端に連結され、前記位置止め節が第２位置制限節の底端に連結され、前記固定節が前記第１固定枠上に装着され、前記位置止め節が前記機能孔の孔口外側の側板上に係止されることを特徴とする請求項１に記載のシーリングライト取付構造。
【請求項３】
前記頂板上に若干の穿孔が設けられ、前記頂板上の穿孔は前記側板上の機能孔の上方に設けられると共に、前記機能孔と逐一対応することを特徴とする請求項２に記載のシーリングライト取付構造。
【請求項４】
若干の固定部材をさらに備え、当該固定部材が前記穿孔を通り抜けて前記固定節上に装着されるに従って、当該位置制限片を前記第１固定枠上に装着することを特徴とする請求項３に記載のシーリングライト取付構造。
【請求項５】
前記第２固定枠は、さらに頂盤と、連結壁とを有し、前記連結壁は前記頂盤と前記底盤とを連結し、前記頂盤、底盤及び連結壁は几字状を呈して分布し、前記底盤が前記連結壁の水平方向の外側まで延出することを特徴とする請求項１に記載のシーリングライト取付構造。
【請求項６】
前記頂盤の中部にくり抜き孔が設けられ、前記頂盤は前記くり抜き孔の周辺に３個の取付孔が設けられることを特徴とする請求項５に記載のシーリングライト取付構造。
【請求項７】
前記底盤上に外辺縁から内向きに延伸する凹口が設けられることを特徴とする請求項１に記載のシーリングライト取付構造。
【請求項８】
前記底盤上にさらに位置止め片が設けられ、前記位置止め片が前記凹口の一側の側壁上に連結されることを特徴とする請求項７に記載のシーリングライト取付構造。
【考案の詳細な説明】
【技術分野】
【０００１】
本考案は、照明装置構造に関するものであり、さらに詳しくは、シーリングライト取付構造に関するものである。
【背景技術】
【０００２】
シーリングライトは、灯具の一種であり、その上方がより平らになる構造を有するため、取付け時に底部が天井に完全に適合させることができることから多く使用されている。
【０００３】
しかし、従来のシーリングライトは、取付け作業過程において、常にネジや拡張ボルトにより室内の天井に固定されているが、このような取付け方式では、室内天井に対して損壊を起こしやすい難点があるのみならず、かつ取付け操作が比較的に煩雑であることから、シーリングライトの迅速な取付けと取り外しに不便が伴い、取付構造の改善が求められてきた。
【考案の概要】
【考案が解決しようとする課題】
【０００４】
従って、本考案の課題は、前記の如き、従来のシーリングライト取付構造が包蔵する難点に鑑み、室内の天井への取付構造が簡素であり、また、取付け箇所に損壊を与えることなく、取付作業および取り外し作業も簡便な操作で迅速に行うことが可能なシーリングライト取付構造を提供することにある。
【課題を解決するための手段】
【０００５】
そこで、本考案者は、本考案の前記課題を解決するため、鋭意検討を重ねた結果、灯盤と、第１固定枠と、第２固定枠と、位置制限片とからなり、第１固定枠に穿設された機能孔が設けられ、位置制限片が固定される構造を有するシーリングライト取付構造が前記の課題を解決できる点に着目し、かかる知見に基いて本考案に想到するに至った。
【０００６】
かくして、本考案の要旨は、下記の（１）〜（８）に記載の通りのものである。
（１）灯盤と、第１固定枠と、第２固定枠と、若干の位置制限片とを備えるシーリングライト取付構造であって、
前記第２固定枠は、底盤を有し、
前記第１固定枠は、底板と、側板と、頂板とを有し、前記側板は前記底板と前記頂板とを連結し、前記頂板の中部に収容槽が設けられ、前記側板の上端が前記収容槽の槽壁上に連結され、前記側板の下端が前記底板に連結され、収容槽は、前記底板と前記側板との間を合わせて囲むように形成され、前記側板上に水平面方向に沿って均等間隔で分布する若干の機能孔が設けられ、
前記位置制限片は、順次に連結される固定節と、第１位置制限節と、第２位置制限節と、位置止め節とを含み、前記第１位置制限節と前記第２位置制限節とは狭角を形成し、前記第１位置制限節と前記第２位置制限節との間に弾性部が形成され、当該位置制限片の弾性部が外側から前記機能孔を通り抜けて前記収容槽内に延在し、組付け時、前記第２固定枠の底盤で当該位置制限片の第１位置制限節を押し潰し、かつ前記第２固定枠の底盤が前記第１位置制限節を滑り通過した後、当該位置制限片が位置戻され、前記底盤が前記第２位置制限節の下方に係止されることを特徴とするシーリングライト取付構造。
【０００７】
（２）前記固定節が前記第１位置制限節上の上端に連結され、前記位置止め節が第２位置制限節の底端に連結され、前記固定節が前記第１固定枠上に装着され、前記位置止め節が前記機能孔の孔口外側の側板上に係止されることを特徴とする前記（１）に記載のシーリングライト取付構造。
【０００８】
（３）前記頂板上に若干の穿孔が設けられ、前記頂板上の穿孔は前記側板上の機能孔の上方に設けられると共に、前記機能孔と逐一対応することを特徴とする前記（２）に記載のシーリングライト取付構造。
【０００９】
（４）若干の固定部材をさらに備え、当該固定部材が前記穿孔を通り抜けて前記固定節上に装着されるに従って、当該位置制限片を前記第１固定枠上に装着することを特徴とする、請求項３に記載のシーリングライト取付構造。
【００１０】
（５）前記第２固定枠は、さらに頂盤と、連結壁とを有し、前記連結壁は前記頂盤と前記底盤とを連結し、前記頂盤、底盤及び連結壁は几字状を呈して分布し、前記底盤が前記連結壁の水平方向の外側まで延出することを特徴とする前記（１）に記載のシーリングライト取付構造。
【００１１】
（６）前記頂盤の中部にくり抜き孔が設けられ、前記頂盤は前記くり抜き孔の周辺に３個の取付孔が設けられることを特徴とする前記（５）に記載のシーリングライト取付構造。
【００１２】
（７）前記底盤上に外辺縁から内向きに延伸する凹口が設けられることを特徴とする前記（１）に記載のシーリングライト取付構造。
【００１３】
（８）前記底盤上にさらに位置止め片が設けられ、前記位置止め片が前記凹口の一側の側壁上に連結されることを特徴とする前記（７）に記載のシーリングライト取付構造。
【００１４】
本考案に係るシーリングライト取付構造は、灯盤と、第１固定枠と、第２固定枠と、若干の位置制限片とを備え、第２固定枠は、底盤を有し、第１固定枠は、底板と、側板と、頂板とを有し、側板は底板と頂板とを連結し、頂板の中部に収容槽が設けられ、側板の上端が収容槽の槽壁上に連結され、側板の下端が底板上に連結され、収容槽は、底板と側板との間を合わせて囲むように形成される。側板上に水平面方向に沿って均等間隔で分布する若干の機能孔が設けられる。位置制限片は、順次に連結される固定節と、第１位置制限節と、第２位置制限節と、位置止め節とを含む。第１位置制限節と第２位置制限節とは夾角を呈し、第１位置制限節と第２位置制限節との間に弾性部が形成され、位置制限片の弾性部が外側から機能孔を通り抜けて収容槽内に延在し、組付け時、第２固定枠の底盤で位置制限片の第１位置制限節を押し潰し、かつ第２固定枠の底盤が第１位置制限節を滑り通過した後、位置制限片が位置戻され、底盤が第２位置制限節の下方に係止される。
【考案の効果】
【００１５】
本考案の有益な効果は、第１固定枠上に機能孔を設置することにより、位置制限片を第１固定枠上に固定し、位置制限片を第１固定枠に合わせて第２固定枠に対して位置制限を行い、構造全体を有効に簡素化することができ、迅速な取付けを可能にしながら、取外しを容易にして使用時の利便性を高めることで、灯具を取付け面に対して緊密圧着効果を生じさせることが可能であり、かつ灯具の方向を簡単に回転調整することができることである。
【図面の簡単な説明】
【００１６】
【図１】本考案の一実施形態に係るシーリングライト取付構造の斜視図である。
【図２】本考案の一実施形態に係るシーリングライト取付構造の分解斜視図である。
【図３】本考案の一実施形態に係るシーリングライト取付構造の部分断面図である。
【図４】本考案の一実施形態に係るシーリングライト取付構造の第２固定枠の斜視図である。
【考案を実施するための形態】
【００１７】
以下、本考案について図面により具体的に説明する。もっとも本考案は、かかる図面等により限定されるものではない。
図１〜図３に示すように、本考案が提供するシーリングライト取付構造は、照明装置（例えば、ＬＥＤ灯）を設定位置に固定するために用いられる。前記シーリングライト取付構造は、灯盤３０と、第１固定枠１０と、第２固定枠４０と、若干の位置制限片２０とを備える。灯盤３０の上端面が第１固定枠１０の底面上に装着され、位置制限片２０が第１固定枠１０上に装着されると共に、第１固定枠１０の側面から延在し、第２固定枠４０の一端が設定位置上（例えば、壁や天井板など）に装着され、第２固定枠４０の他端が位置制限片２０を通過して第１固定枠１０に固定される。
【００１８】
第２固定枠４０は、頂盤４１と、底盤４２と、連結壁４３とを有する。連結壁４３は頂盤４１と底盤４２とを連結し、前記頂盤４１、底盤４２及び連結壁４３は几字状を呈して分布する。頂盤４１の中部にくり抜き孔が設けられ、頂盤４１はくり抜き孔の周辺に３個の取付孔４１１が設けられる。底盤４２が連結壁４３の水平方向の外側まで延出し、底盤４２上に外辺縁から内向きに延伸する凹口４２１が設けられ、底盤４２上にさらに位置止め片４２２が設けられる。位置止め片４２２が凹口４２１の一側の側壁上に連結される。
【００１９】
第１固定枠１０は、底板１２と、側板１３と、頂板１１とを有する。側板１３は底板１２と頂板１１とを連結し、頂板１１の中部に収容槽が設けられ、側板１３の上端が収容槽の槽壁上に連結され、側板１３の下端が底板１２上に連結される。収容槽１４は、底板１２と側板１３との間を合わせて囲むように形成される。側板１３上に水平面方向に沿って均等間隔で分布する若干の機能孔１３１が設けられる。機能孔１３１の孔口は方形を呈して設置され、頂板１１上に若干の穿孔１１１が設けられ、頂板１１上の穿孔１１１は側板１３上の機能孔１３１の上方に設けられると共に、機能孔１３１と逐一対応する。
【００２０】
位置制限片２０は、順次に連結される固定節２１と、第１位置制限節２２と、第２位置制限節２３と、位置止め節２４とを含む。第１位置制限節２２と第２位置制限節２３とは狭角を形成し、固定節２１が第１位置制限節２２上の上端に連結され、位置止め節２４が第２位置制限節２３の底端に連結され、第１位置制限節２２と第２位置制限節２３との間に弾性部が形成される。
【００２１】
組付け時においては、まず、灯盤３０を第１固定枠１０上に装着するように付けておき、次いで位置制限片２０を第１固定枠１０に合わせて取り付ける。位置制限片２０の弾性部が外側から機能孔１３１を通り抜けて収容槽１４内に延在し、位置止め節２４が機能孔１３１の孔口外側の側板１３上に係止される。固定節２１の上端と頂板 １１の底部とは互いに緊密にフィットした状態にある。本考案によれば、若干の固定部材をさらに備え、固定部材が穿孔１１１を通り抜けて固定節２１上に装着されるに従って、位置制限片２０を第１固定枠１０上に装着する。
【００２２】
最後に、位置制限片２０が組み付けられた第１固定枠１０を第２固定枠４０上に装着し、第１固定枠１０の収容槽を第２固定枠４０と揃えるように配置する。第２固定枠４０の方向に向かって第１固定枠１０を押圧し、第２固定枠４０の底盤４２で位置制限片２０の第１位置制限節２２を押し潰し、かつ第２固定枠４０の底盤４２が第１位置制限節２２を滑り通過した後、底盤４２が第２位置制限節２３の下方に係止され、３個の位置制限片２０と円形の底盤４２は相互に干渉するので、位置制限片２０を取付け面に緊密に押し付けるに従って、旋回調整できる効果を実現する。
【００２３】
灯盤３０を外す必要がある場合に、第１固定枠１０を旋回させ、第１固定枠１０を位置制限片２０が円周方向に沿って位置止め片４２２に突き当たるまで旋回させると、第２固定枠４０の凹口４２１は縦方向に沿って１つの位置制限片２０と揃えるように配置される。第２固定枠４０を下向きに引き下ろすことで、１つの位置制限片２０を前記凹口４２１上から退避させ、３個の位置制限片２０は、相互に干渉する状況が凹口４２１を介して解除されるので、落下することで取付け面と第２固定枠４０との間に間隙を生じさせ、手動操作に有利である。３点干渉の消去のため、２枚の位置制限片２０では有効に干渉することができず、それを容易に外すことができる。
【００２４】
本考案の有益な効果は、第１固定枠１０上に機能孔１３１を設置することにより、位置制限片２０を第１固定枠１０上に固定し、位置制限片２０を第１固定枠１０に合わせて第２固定枠４０に対して位置制限を行い、構造全体を有効に簡素化することができる。迅速な取付けを可能にしながら、取外しを容易にして使用時の利便性を高めることで、灯具を取付け面に対して緊密圧着効果を生じさせることが可能であり、かつ灯具の方向を簡単に回転調整することができることである。
【符号の説明】
【００２５】
１０      第１固定枠
１１      頂板
１１１    穿孔
１２      底板
１３      側板
１３１    機能孔
１４      収容槽
２０      位置制限片
２１      固定節
２２      第１位置制限節
２３      第２位置制限節
２４      位置止め節
３０      灯盤
４０      第２固定枠
４１      頂盤
４１１    取付孔
４２      底盤
４２１    凹口
４２２    位置止め片
４３      連結壁
【図１】
0003223592.tif 000003
【図２】
0003223592.tif 000004
【図３】
0003223592.tif 000005
【図４】
0003223592.tif 000006